(57)【特許請求の範囲】
【請求項１】
遊技盤と、前記遊技盤に配置され、始動口への入球を条件として複数種類の図柄を順次高速で変動表示する特別図柄変動表示装置と、前記特別図柄変動表示装置における停止図柄の組合せ如何によって、遊技球の入球が困難な第１状態と遊技球の入球が容易な第２状態とに変換可能な入賞口とを有する変動入賞装置を備えたパチンコ機において、
上記遊技盤には、特定領域を遊技球が通過したことを条件に図柄の変動を開始し、所定の時間が経過したことを条件に図柄の変動表示を停止する普通図柄判定表示装置を備え、
前記変動入賞装置には、入賞口を塞ぐことで遊技球の入球が困難な第１状態とし、塞いだ前記入賞口を開放することによって遊技球の入球が容易な第２状態とする開閉扉を設け、
前記始動口には、
前記変動入賞装置の開閉扉の開閉により、その入球の難易度が変化しないように、前記変動入賞装置の上方に配置された第１の始動口と、
前記変動入賞装置の下方に配置され、前記変動入賞装置の開閉扉が前記入賞口を入球容易な第２状態とすることで、前記入球困難状態となり、前記開閉扉が入賞口を入球困難な第１状態とすることで、前記入球容易状態となる第２の始動口とを有し、
前記第２の始動口には、前記普通図柄判定表示装置に停止表示された図柄が予め定められた所定の図柄であることを条件に、遊技球の入球が困難な困難状態から遊技球の入球が容易な容易状態へ変化可能な開閉装置を設け、
前記普通図柄判定表示装置は、特別図柄変動表示装置における停止図柄の組合せが特定の図柄の組み合わせであることを条件に、当該特定の図柄の組み合わせが停止表示されてから当該特定図柄の組み合わせの停止表示にもとづく前記変動入賞装置の入賞口を、入球困難な第１状態から入球容易な第２状態へと変換した後に、予め定められた所定個数の遊技球の入球又は所定時間の経過を条件に再び入球困難な第１状態へと変換する開閉動作を、予め定められた回数だけ連続させる大当たり動作が終了するまでは、その図柄の変動表示を中止することにより、前記第２の始動口の開閉装置の作動を不能とした、ことを特徴とするパチンコ機。
【請求項２】
変動入賞装置は、前記普通図柄判定表示装置に隣接した位置に、普通図柄判定表示装置による図柄の変動を開始する回数を表示するための変動回数表示ランプを設けたことを特徴とする請求項１記載のパチンコ機。
【発明の詳細な説明】
【０００１】
【発明の属する技術分野】
この発明は、パチンコ機用の変動入賞装置に関するものである。
【０００２】
【従来の技術】
従来、この種のパチンコ機用の変動入賞装置としては、遊技盤に配置され、始動口への入球を条件として複数種類の図柄を順次高速で変動表示する特別図柄変動表示装置における停止図柄の組合せ如何によって、遊技球の入球が困難な第１状態と遊技球の入球が容易な第２状態とに変換可能な入賞口を有するパチンコ機用の変動入賞装置が知られていた。
【０００３】
一方、普通図柄判定表示装置は、特別図柄変動表示装置に隣接して、あるいは特定領域を遊技球が通過すると、図柄の変動を開始し、所定の時間が経過すると図柄の変動を停止する。普通図柄判定表示装置に停止表示された図柄が、予め定められた所定の図柄であることを条件に、始動口を遊技球の入球が困難な第１状態から遊技球の入球が容易な第２状態に変換するようにしている。
【０００４】
そして、前記普通図柄判定表示装置は、上記特別図柄変動表示装置に一体的に設けられていた。
【０００５】
【発明が解決しようとする課題】
しかし、上記した従来のパチンコ機用の変動入賞装置では、普通図柄判定表示装置は、前記特別図柄変動表示装置に一体的に設けられおり、このため、特別図柄変動表示装置自体が大きくなる。パチンコ機は、既存の筐体に新たな遊技盤をはめ込んで、パチンコ機を新しくする手法が採用されていることから、遊技盤の大きさは既存の筐体に対応するよう面積上の制約がある。このため、特別図柄変動表示装置が大きくなると、面積上の制約のある遊技盤上で、必然的に大きな面積を占めるものとなってしまう。特別図柄変動表示装置が遊技盤の表面に配置されると、その部分は、遊技球が流下することのできない領域となってしまう。特に、特別図柄変動表示装置は、派手な図柄の変動を見せることで遊技者をゲームに引きつける必要から、遊技者の目に付きやすい位置、すなわち盤面のほぼ中央に配置されるものであるから、遊技球が流下できない領域が中央に大きく占められることとなってしまう。
【０００６】
パチンコ機によるゲームの面白味の一つは、盤面を様々変化しながら流下する遊技球を見ながらゲームを行う点にあることから、遊技球が流下しない領域が広くなればなるほど、遊技球の流下の態様に変化が乏しくなり、特に遊技球が流下しない領域が、遊技者の目の触れやすい中央に位置すると、いきおい遊技の面白味が減殺されてしまうといった問題点があった。
【０００７】
そこで、請求項１記載のパチンコ機は、上記した従来の技術の有する問題点に鑑みてなされたものであり、その目的とするところは、面積上の制約のある遊技盤の表面を有効に利用して、遊技球の流下する領域を十分確保することにより、面白味のあるパチンコゲームが可能なパチンコ機を提供しようとするものである。
【０００８】
これに加え、請求項２記載のパチンコ機は、変動回数表示装置を、普通図柄判定表示装置に隣接した位置に設けることにより、さらに遊技盤の有効利用を可能とし、遊技球の流下可能な領域を十分確保することで、より面白味のあるパチンコゲームを可能とするとともに、普通図柄判定表示装置による判定表示回数が一目して把握することができ、遊技を安心して行うことのできる遊技の状態が容易に確認することのできるパチンコ機を提供しようとするものである。
【０００９】
【課題を解決するための手段】
本発明は、上記した目的を達成するためのものであり、以下にその内容を図面に示した発明の実施の態様を用いて説明する。
請求項１記載のパチンコ機は、遊技盤(11)には、特定領域を遊技球が通過したことを条件に図柄の変動を開始し、所定の時間が経過したことを条件に図柄の変動表示を停止する普通図柄判定表示装置(90)を備え、前記変動入賞装置(70)には、入賞口(71)を塞ぐことで遊技球の入球が困難な第１状態とし、塞いだ入賞口(71)を開放することによって遊技球の入球が容易な第２状態とする開閉扉(72)を設け、前記始動口(60,80))には、前記変動入賞装置(70)の開閉扉(72)の開閉により、その入球の難易度が変化しないように、前記変動入賞装置(70)の上方に配置された第１の始動口(60)と、前記変動入賞装置(70)の下方に配置され、前記変動入賞装置(70)の開閉扉(72)が前記入賞口(71)を入球容易な第２状態とすることで、前記入球困難状態となり、前記開閉扉(72)が入賞口(71)を入球困難な第１状態とすることで、前記入球容易状態となる第２の始動口(80)とを有し、前記第２の始動口には、前記普通図柄判定表示装置(90)に停止表示された図柄が予め定められた所定の図柄であることを条件に、遊技球の入球が困難な困難状態から遊技球の入球が容易な容易状態へ変化可能な開閉装置を設け、前記普通図柄判定表示装置(90)は、特別図柄変動表示装置(50)における停止図柄の組合せが特定の図柄の組み合わせであることを条件に、当該特定の図柄の組み合わせが停止表示されてから当該特定図柄の組み合わせの停止表示にもとづく前記変動入賞装置(70)の入賞口(71)を、入球困難な第１状態から入球容易な第２状態へと変換した後に、予め定められた所定個数の遊技球の入球又は所定時間の経過を条件に再び入球困難な第１状態へと変換する開閉動作を、予め定められた回数だけ連続させる大当たり動作が終了するまでは、その図柄の変動表示を中止することにより、前記第２の始動口(80)の開閉装置の作動を不能とした、ことを特徴とする。
【００１０】
請求項１記載のパチンコ機によれば、前記変動入賞装置(70)には、入賞口(71)を塞ぐことで遊技球の入球が困難な第１状態とし、塞いだ入賞口(71)を開放することによって遊技球の入球が容易な第２状態とする開閉扉(72)が設けられている。
前記第１の始動口(60)は、前記変動入賞装置(70)の開閉扉(72)の開閉により、その入球の難易度が変化しないように、前記変動入賞装置(70)の上方に配置されている。
第２の始動口(80)は、前記変動入賞装置(70)の下方に配置され、前記変動入賞装置(70)の開閉扉(72)が前記入賞口(71)を入球容易な第２状態とすることで、前記入球困難状態となり、前記開閉扉(72)が入賞口(71)を入球困難な第１状態とすることで、前記入球容易状態となる。
また、特別図柄変動表示装置(50)における停止図柄の組合せが特定の図柄の組み合わせであることを条件に、当該特定の図柄の組み合わせが停止表示されてから当該特定図柄の組み合わせの停止表示にもとづく前記変動入賞装置(70)の大当たり動作が終了するまでは、前記普通図柄判定表示装置(90)は、その図柄の変動表示を中止することにより、前記第２の始動口の開閉装置の作動を不能とする。
【００１１】
請求項２記載のパチンコ機は、上記請求項１記載の特徴点に加え、変動入賞装置(70)は、前記普通図柄判定表示装置(90)に隣接した位置に、普通図柄判定表示装置(90)による図柄の変動を開始する回数を表示するための変動回数表示ランプ(91)を設けたことを特徴とする。
したがって、変動回数表示ランプ(91)を、普通図柄判定表示装置(90)に隣接した位置の変動入賞装置(70)に設けることにより、さらに遊技盤(11)の有効利用を可能とし、遊技球の流下可能な領域を十分確保することにで、更に面白味のあるパチンコゲームが可能となる。
【００１２】
また、遊技の状態が容易に確認すること普通図柄判定表示装置(90)による判定表示回数が一目して把握することができ、遊技を安心して行うことができる。
【００１３】
【発明の実施の形態】
図１〜８は、本発明の一実施の形態を示すものであり、図１は遊技盤面の下部に配置した状態の変動入賞装置の拡大正面図、図２はパチンコ機の概略正面図、図３は遊技盤の拡大正面図、図４は普通図柄判定表示装置の表示の態様を説明するための拡大正面図、図５は変動入賞装置の開閉扉を閉じた状態を示す斜視図、図６は変動入賞装置の開閉扉を開放した状態を示す斜視図、図７は第２の始動口の閉止状態を示した部分斜視図、図８は第２の始動口の開放状態を示した部分斜視図を各々示す。
【００１４】
図２中、10は、パチンコ機を示すものであり、このパチンコ機10は、その前面には遊技盤11を有し、遊技盤11の表面には、円弧状のガイドレール12で囲まれた略円形の遊技部20を備えている。なお、図示しないが遊技盤11の表面には、複数の釘が打設され、遊技部20内を流下する打球は、釘に当たって、その流下方向に変化が与えられる。
【００１５】
また、パチンコ機10には、図２に示すように、前記遊技部20の下方に位置し遊技球を貯留するための上部貯留皿30と、この上部貯留皿30の下方に位置し上部貯留皿30に貯留しきれない遊技球を貯留するために下部貯留皿31と、この下部貯留皿31の右側に位置し遊技者の操作により遊技部20内に遊技球を発射するための遊技球発射装置40とが設けられている。
【００１６】
上記遊技部20内には、図３に示すように、そのほぼ中央に特別図柄変動表示装置50が配置されている。この特別図柄変動表示装置50は、図３に示すように、その前面中央に複数個のＬＥＤ（図示せず）をマトリックス状に配列した表示部51を備えている。この表示部51は、図には示さないが、複数種類の図柄、本実施の形態では、「１」〜「９」までの「数字」が連続的に変動表示可能に形成されている。そして、特別図柄変動表示装置50が所定時間変動表示を行った後に、表示部51に停止表示された図柄、本実施例では、数字いかんによって、遊技者に特別の利益を付与する。例えば数字「７」が所定のライン上に３つ揃って停止表示された場合には、大当たりとなり、遊技者に利益が与えられる。
【００１７】
また、特別図柄変動表示装置50には、図３に示すように、表示部51の上方に、横並びに並んだ４個のＬＥＤからなる保留球記憶ランプ52が設けられている。この保留球記憶ランプ52は、特別図柄変動表示装置50による図柄の変動の残り回数を表示するものであり、保留球記憶ランプ52の４個のＬＥＤの点灯数に応じた数だけ、図柄変動の開始を行う。例えば、保留球記憶ランプ52のＬＥＤが、１個が点灯している場合には、特別図柄変動表示装置50による図柄の変動をもう１度行い、２個点灯している場合には、残り２回の図柄変動を開始することを表示している。
【００１８】
また、上記特別図柄変動表示装置50の真下には、図３に示すように、特別図柄変動表示装置50による図柄の変動を開始させるための第１の始動口60が設けられている。この第１始動口60には、打球の入球を検出するための入球センサ（図示せず）が設けられている。そして、第１の始動口60に遊技球が入球すると、前記入球センサが打球を検出し、特別図柄変動表示装置50による図柄の変動が開始される。
【００１９】
前記第１の始動口60の真下には、図２に示すように、アタッカータイプの変動入賞装置70が設けられている。
この変動入賞装置70は、図１,３に示すように、前面の中央に方形状に開口形成された入賞口と、前記入賞口71を正面から塞ぐ開閉扉72と、前記開閉扉72の下方に設けられ、前記特別図柄変動表示装置50による図柄変動を開始させる第２の始動口80と、前記開閉扉72の向かって左側に設けられた普通図柄判定表示装置90と、前記開閉扉72の向かって右側に設けられ、入賞口71へ入球した遊技球数を計数表示する入球数表示部100とを備えている。
【００２０】
前記入賞口71には、図には示さないが入球した遊技球を検出するためのセンサが設けられている。そして、遊技球の入球を検出すると、遊技者に対して所定数の遊技球を払い出すように構成されている。
前記開閉扉72は、入賞口71の状態を、図５に示すように、常時は前記入賞口71を塞ぐことにより、入賞口71への遊技球の入球が困難な第１状態とするとともに、特別図柄変動表示装置50による変動の結果、特別図柄変動表示装置50に、例えば数字「７」が所定のライン上に３つ揃って停止表示された場合は、図６に示すように、前倒しに開いて入賞口71を開口することにより、前記した入賞口71への遊技球の入球が困難な第１状態から入賞口71への遊技球の入球が容易な第２状態に変換する。
【００２１】
前記第２の始動口80は、図１,７,８に示すように、遊技球が１個毎に入球可能な開口を有し、この開口内には、図示しないが、遊技球の入球を検出するためのセンサが設けられている。そして、第２の始動口80に遊技球が入球すると、第１の始動口60と同様に、前記センサが打球を検出し、特別図柄変動表示装置50による図柄の変動が開始される。
【００２２】
また、前記第２の始動口80には、図７に示すように、第２の始動口80を常時は閉止することによって遊技球の入球が困難な第１状態とするとともに、後述する所定の条件を満たし開放することによって、図８に示すように、遊技球の入球が容易な第２状態とする開閉片81とを備える。
上記普通図柄判定表示装置90は、図４に示すように、液晶やＬＥＤを用いた１桁の７セグメント表示器が用いられている。また、普通図柄判定表示装置90は、「０」〜「９」までの数字を所定時間だけ、順次高速で変動表示することができ、所定時間経過後は、「０」〜「９」までに数字のいずれかを停止表示することができる。そして、前記普通図柄判定表示装置90に停止表示された数字が所定の数字、例えば「７」である場合には、図８に示すように、上記第２の始動口80の開閉片81が所定時間、例えば１秒間だけ開放することとなる。
【００２３】
なお、前記普通図柄判定表示装置90は、特別図柄変動表示装置50において、停止図柄の組合せが、例えば「７７７」となり、大当たりとなった場合には、変動入賞装置70の大当たり動作、すなわち開閉扉72の開放動作が終了するまで、その図柄変動を一時中止する。
また、前記普通図柄判定表示装置90に隣接した位置には、図１、図４の（Ａ）及び（Ｂ）に示すように、普通図柄判定表示装置90による図柄の変動を開始する回数を表示するための変動回数表示ランプ91が設けられている。前記変動回数表示ランプ91は、例えば４個のＬＥＤから構成され、普通図柄判定表示装置90による図柄の変動の残り回数を表示するものである。そして、前記変動回数表示ランプ91の４個のＬＥＤの点灯数に応じた数だけ、図柄変動の開始を行う。例えば、前記変動回数表示ランプ91のＬＥＤが図４の（Ａ）に示すように、１個が点灯している場合には、普通図柄判定表示装置90による図柄の変動をもう１度行い、図４の（Ｂ）に示すように、２個点灯している場合には、残り２回の図柄変動を開始することを表示する。
【００２４】
前記入球数表示部100は、前記普通図柄判定表示装置90と同様に、液晶やＬＥＤを用いた７セグメント表示器が用いられ、「０」〜「９」までの数字を表示することができる。そして、この入球数表示部100は、開閉扉72が開放した状態で、入賞口71に入球した遊技球数をカウントして表示する。
上記第１の始動口60の左右両側には、図３に示すように、特定領域としての左右のスルーチャッカー110,110が設けられている。前記両スルーチャッカー110,110は、特に図示しないがセンサを内蔵している。そして、前記両のスルーチャッカー110,110のいずれかを、遊技球が通過し、前記センサが遊技球の通過を検出すると、前記普通図柄判定表示装置90による図柄の変動が開始される。
【００２５】
また、上記左のスルーチャッカー110左側及び右のスルーチャッカー110の右側には、図３に示すように、遊技球が入球すると、所定数の遊技球を払い出す入賞ポケット111,111が合計２個設けられている。
また、上記変動入賞装置70の下方であって、内側のガイドレール12の下端縁を臨む位置には、図１,３に示すように、発射された打球のうち、第１の始動口60、第２の始動口80、変動入賞装置70の入賞口71、入賞ポケットのいずれにも入球しなかった遊技球をアウト球として回収するための略長円状の回収口120が設けられている。
【００２６】
上記遊技球発射装置40は、遊技者の操作により遊技球を遊技部20内に発射するものであり、発射スピードを調整するための調整ハンドル41を有している。そして、この調整ハンドル41の回転角度を変更することで、遊技部20内に発射する遊技球のスピードを調整することができる。
つぎに、上記構成を備えたパチンコ機10の動作について、説明する。
【００２７】
まず、遊技球発射装置40を操作すると、遊技球発射装置40から発射された遊技球が遊技盤11上を流下し、第１の始動口60に入球すると、特別図柄変動表示装置50の表示部51が図柄の変動を開始する。
特別図柄変動表示装置50の表示部51が図柄の変動を停止した際に、表示部51に表示された停止図柄が、予め定められた停止図柄の組合せと一致する場合、例えば本実施の形態では、特定のライン上に「７７７」と揃った場合には、大当たりとなる。
【００２８】
特別図柄変動表示装置50の表示部51に「７７７」と表示され大当たりとなると、変動入賞装置70の開閉扉72が、図６に示すように、開放する。この開閉扉72の開放は、所定時間が経過すると又は所定数の遊技球の入球が検出されると、終了し、この開放動作は、例えば最大１６回連続して行われる。
遊技球が変動入賞装置70の入賞口71に入球すると、その入球数は、入球数表示部100に表示されるとともに、入球した遊技球数に対応した賞球が、上部貯留皿30に払い出される。
【００２９】
一方、遊技部20を流下した遊技球が、左右のスルーチャッカーに入球すると、変動入賞装置70に設けられた普通図柄判定表示装置90が図柄の変動を開始し、所定時間が経過すると図柄の変動を停止し、任意の図柄の１つを停止表示する。
普通図柄判定表示装置90が図柄の変動を停止した際の停止図柄が、所定の数字、例えば「７」である場合には、図８に示すように、変動入賞装置70に設けられた第２の始動口80の開閉片81が前側に倒れ込んで、所定の時間、例えば１秒間だけ第２の始動口80へ遊技球が入球可能な状態に変換する。
【００３０】
第２の始動口80の開口が開放された状態で、遊技球が入球すると特別図柄変動表示装置50の表示部51が図柄の変動を開始する。
このため、普通図柄判定表示装置90による図柄の変動表示が行われ、停止図柄が、上記「７」であれば、第２の始動口80が開放することから、遊技球の入球数が増える可能性が高く、特別図柄変動表示装置50による図柄の変動回数が増えることがある。
【００３１】
上記したように、普通図柄判定表示装置90を、特別図柄変動表示装置50と一体的に設けることなく、変動入賞装置70に設けたことから、遊技盤11の中央に配置される特別図柄変動表示装置50は、普通図柄判定表示装置90を一体的に設けた場合よりも、小さく形成することができ、遊技盤の中央の領域を有効に活用することができる。
【００３２】
また、上記実施の形態では、特別図柄変動表示装置50による図柄の変動を開始させるため、第１の始動口60と第２の始動口80との２つの始動口60,80を設け、第２の始動口80が普通図柄判定表示装置90の停止図柄如何によって所定時間だけ開放状態となると説明した。
しかし、実施の形態はこれに限られず、例えば第１の始動口60のみを設け、第１の始動口60を、遊技球の入球が困難な状態な第１状態から、遊技球の入球が容易な第２状態に変換可能に形成してもよい。具体的には、第１の始動口60に、チューリップ型の開閉装置を設け、常時は、この開閉装置を閉じた状態として、遊技球が入球困難な第１状態とし、普通図柄判定表示装置90の停止図柄が、所定の図柄、例えば「７」である場合には、この開閉装置を所定時間だけ開放して入球が容易な第２状態とするようにしてもよい。
【００３３】
【発明の効果】
本発明は、以上のように構成されているので、以下に記載されるような効果を奏する。
請求項１記載のパチンコ機によれば、面積上の制約のある遊技盤の表面を有効に利用して、遊技球の流下する領域を十分確保することにより、面白味のあるパチンコゲームが可能な変動入賞装置を提供することができる。
また、前記普通図柄判定表示装置は、特別図柄変動表示装置における停止図柄の組合せが特定の図柄の組み合わせであることを条件に、当該特定の図柄の組み合わせが停止表示されてから当該特定図柄の組み合わせの停止表示にもとづく前記変動入賞装置の大当たり動作が終了するまでは、その図柄の変動表示を中止するようにしたので、遊技者は大当たり動作中の変動入賞装置の動作に神経を集中することができる。
【００３４】
これに加え、請求項２記載のパチンコ機によれば、変動入賞装置において、変動回数表示装置を、普通図柄判定表示装置に隣接した位置に設けることにより、さらに遊技盤の有効利用を可能とし、遊技球の流下可能な領域を十分確保することで、より面白味のあるパチンコゲームを可能とするとともに、普通図柄判定表示装置による判定表示回数が一目して把握することができ、遊技を安心して行うことのできる遊技の状態が容易に確認することのできるパチンコ機を提供することができる。
【図面の簡単な説明】
【図１】  遊技盤面の下部に配置した状態の変動入賞装置の拡大正面図である。
【図２】  パチンコ機の概略正面図である。
【図３】  遊技盤の拡大正面図である。
【図４】  普通図柄判定表示装置の表示の態様を説明するための拡大正面図である。
【図５】  変動入賞装置の開閉扉を閉じた状態を示す斜視図である。
【図６】  変動入賞装置の開閉扉を開放した状態を示す斜視図である。
【図７】  第２の始動口の閉止状態を示した部分斜視図である。
【図８】  第２の始動口の開放状態を示した部分斜視図である。
【符号の説明】
10  パチンコ機              11  遊技盤
12  ガイドレール            20  遊技部
30  上部貯留皿              31  下部貯留皿
40  遊技球発射装置          41  調整ハンドル
50  特別図柄変動表示装置    52  保留球記憶ランプ
60  第１の始動口            70  変動入賞装置
71  入賞口                  72  開閉扉
80  第２の始動口            81  開閉片
90  普通図柄判定表示装置    91  変動回数表示ランプ
100  入球数表示部            110  スルーチャッカー
111  入賞ポケット            120  回収口
【図１】
0003665269.tif 000002
【図２】
0003665269.tif 000003
【図３】
0003665269.tif 000004
【図４】
0003665269.tif 000005
【図５】
0003665269.tif 000006
【図６】
0003665269.tif 000007
【図７】
0003665269.tif 000008
【図８】
0003665269.tif 000009